(57)【特許請求の範囲】
【請求項１】
スタッド形端子のネジ部が突出した器体と、前記ネジ部を覆って取着される絶縁カバーとを備えており、かつ、並列配置された複数個が貫通ボルトを介して連結可能な構成とされたスタッド形端子装置であって、
前記器体に取着されて前記絶縁カバーを支持する絶縁カバー支持具を備えており、かつ、該絶縁カバー支持具は、前記貫通ボルトが挿通するボルト孔を有し、前記貫通ボルトの挿通方向と直交する前記器体の側面に当接する器体当接部と、該器体当接部から延出されて前記器体の底面に形成された被係合部と係合し、前記ボルト孔を位置決めする係合部と、前記器体当接部から前記ネジ部と同一の方向に延出されて前記絶縁カバーを支持する支持部とを具備していることを特徴とするスタッド形端子装置。
【請求項２】
前記絶縁カバー支持具は、前記係合部が前記器体の被係合部と係合するのに伴って前記器体の底面と面一になる取付部をも具備していることを特徴とする請求項１に記載のスタッド形端子装置。
【請求項３】
前記絶縁カバー支持具は板金を用いて作製されたものであり、前記器体当接部と、前記係合部と、前記支持部と、前記取付部との各々は単一枚の板金から屈曲形成されていることを特徴とする請求項２に記載のスタッド形端子装置。
【発明の詳細な説明】
【０００１】
【発明の属する技術分野】
本発明はスタッド形端子装置に係り、詳しくは、絶縁カバーを容易に支持することが可能な構成とされたスタッド形端子装置に関する。
【０００２】
【従来の技術】
スタッド形端子装置は、平面視形状が略正方形とされた絶縁材料製の器体と、この器体の表面からネジ部が突出するようにして器体に取り付けられたスタッド形端子とを具備して構成されたものであり、この種のスタッド形端子装置は、配電盤や分電盤などに組み込んで使用されるのが一般的となっている。すなわち、これらのスタッド形端子装置は、メインバーや端子バーに形成された連結孔がスタッド形端子のネジ部を貫通して連結されることにより、これらのメインバーや端子バーを接続するために多用されている。
【０００３】
そして、従来形態に係るスタッド形端子装置の一例としては、特開平８−２０３５８２号公報で開示されたものがあり、図３で示すように、このスタッド形端子装置１は、平面視形状が四辺形とされ、かつ、絶縁材料を用いて作製された器体２の単一個に対して１本のスタッド形端子３が取着された構成を有している。また、このスタッド形端子装置１では、スタッド形端子３のネジ部が突出している器体２の一辺に対して嵌合突部４及び嵌合凹部５を形成することが行われており、これら嵌合突部４及び嵌合凹部５の各々同士が互いに嵌合しあうのに伴って複数個のスタッド形端子装置１は並列配置される構成となっている。
【０００４】
さらに、スタッド形端子装置１それぞれの嵌合突部４には、他のスタッド形端子装置１の嵌合凹部５と嵌合されたのに伴って当接しあう嵌合突部４のそれぞれ同士を同軸的に貫通する貫通孔６が形成されている。そして、嵌合突部４同士の貫通孔６を挿通した貫通ボルト７によっては、並列配置された複数個のスタッド形端子装置１が互いに連結されることになり、その結果としてスタッド形端子装置１同士が連結されてなる端子ブロック、つまり、図４で示すような端子ブロック８が構成される。
【０００５】
すなわち、この際におけるスタッド形端子装置１は、使用時の必要性に応じて単一個のみでも、また、複数個を組み合わせた端子ブロック８としても使用が可能な構成となっている。なお、図中の符号９は溝部を示しており、この溝部９はスタッド形端子装置１が備える器体２の底面における所定位置に対して形成されている。
【０００６】
【発明が解決しようとする課題】
ところで、従来形態に係るスタッド形端子装置１や端子ブロック８が組み込まれる配電盤や分電盤などの筺体には開閉自在な扉が設けられており、配電盤などの内部状態を点検したり確認したりするに際しては、扉を開いたうえで点検などの作業が行われる。しかしながら、スタッド形端子装置１や端子ブロック８の近傍が充電部として剥き出しのままであると、作業者が不用意に誤って手を差し出した時などに手が高電圧線に触れることが起こる結果、感電事故などを招いてしまう危険がある。
【０００７】
そこで、危険性を回避するため、透明な絶縁カバー（図示省略）を用いたうえでスタッド形端子装置１や端子ブロック８の手前側を覆って保護することが考えられているが、このような構成を実現するためには、絶縁カバーを支持する絶緑カバー支持具を設けておくことが必要となる。ところが、この種の絶縁カバー支持具は、スタッド形端子装置１や端子ブロック８と別体とされ、かつ、スタッド形端子装置１などとは無関係な位置関係でもって配電盤などの取付パネルに取着されているのが実情である。
【０００８】
本発明は上記の事情に鑑みて創案されたものであって、絶縁カバー支持具をも含めてブロック化することが可能であり、きわめて高い安全性を確保することができる構成とされたスタッド形端子装置の提供を目的としている。
【０００９】
【課題を解決するための手段】
本発明に係るスタッド形端子装置は、スタッド形端子のネジ部が突出した器体と、前記ネジ部を覆って取着される絶縁カバーとを備えており、かつ、並列配置された複数個が貫通ボルトを介して連結可能な構成とされたものである。
【００１０】
そして、上記の目的を達成するため、本発明の請求項１に係るスタッド形端子装置は、前記器体に取着されて前記絶縁カバーを支持する絶縁カバー支持具を備えており、かつ、該絶縁カバー支持具は、前記貫通ボルトが挿通するボルト孔を有し、前記貫通ボルトの挿通方向と直交する前記器体の側面に当接する器体当接部と、該器体当接部の下端側から延出されて前記器体の底面に形成された被係合部と係合し、前記ボルト孔を位置決めする係合部と、前記器体当接部の上端側から前記ネジ部と同一の方向に延出されて前記絶縁カバーを支持する支持部とを具備していることを特徴とする。
【００１１】
また、本発明の請求項２に係るスタッド形端子装置は請求項１に記載したものであって、前記絶縁カバー支持具は、前記係合部が前記器体の被係合部と係合するのに伴って前記器体の底面と面一になる取付部を具備していることを特徴とする。さらに、本発明の請求項３に係るスタッド形端子装置は請求項２に記載したものであって、前記絶縁カバー支持具は板金を用いて作製されたものであり、前記器体当接部と、前記係合部と、前記支持部と、前記取付部との各々は単一枚の板金から屈曲形成されていることを特徴としている。
【００１２】
【発明の実施の形態】
図１は本発明の一実施形態である絶縁カバー支持具を備えてなる端子ブロックの全体構成を示す外観斜視図であり、図２は本発明の一実施形態である絶縁カバー支持具の構成を示す外観斜視図である。なお、本実施形態に係る端子ブロックの全体構成は、絶縁カバー及び絶縁カバー支持具を設けている点を除くと、従来形態と基本的に異ならないので、図１において図３及び図４と互いに同一もしくは相当する部品、部分には同一符号を付し、詳しい説明は省略する。
【００１３】
本実施形態に係る端子ブロック８は、平面視形状が四辺形とされた絶縁材料製の器体２に１本のスタッド形端子３が取着されたスタッド形端子装置１の複数個（図１では、６個）を互いに並列配置し、かつ、他のスタッド形端子装置１の器体２に形成された嵌合凹部５と嵌合されて当接しあった嵌合突部４同士の貫通孔６を挿通した貫通ボルト７でもってスタッド形端子装置１同士が一体的に連結された構成を有している。なお、スタッド形端子装置１それぞれの器体２から上向きに突出したスタッド形端子３のネジ部に対しては、複数個のスタッド形端子装置１からなる端子ブロック８が配電盤や分電盤などに組み込んで取り付けられた後、メインバー１１や端子バーなどが連結されることになっている。
【００１４】
そして、この端子ブロック８は、各スタッド形端子装置１の器体２から上向きに突出したスタッド形端子３のネジ部を覆って取着される絶縁カバー１２と、平面視形状が四辺形とされた絶縁カバー１２をその対向する二辺で支持する一対の絶縁カバー支持具１３とを備えており、これらの絶縁カバー支持具１３はスタッド形端子装置１の器体２それぞれに取着されたうえで透明状などとされた絶縁カバー１２を支持している。また、この際における絶縁カバー支持具１３は、対向状態を示す図２からも明らかなように、器体当接部１４と、この器体当接部１４から延出された係合部１５と、器体当接部１４から延出された支持部１６と、係合部１５と同様に延出されながら反対向きに配置された取付部１７とを具備している。
【００１５】
すなわち、器体当接部１４は、複数個のスタッド形端子装置１同士を連結する貫通ボルト７が挿通するボルト孔１８を有し、この貫通ボルト７の挿通方向と直交する器体２の側面に当接したうえ、貫通ボルト７を用いて器体２の側面に対して固定される。また、ここでの係合部１５は、器体当接部１４の下端側から延出されたうえ、スタッド形端子装置１が備えている器体２の底面に形成された溝部９を被係合部として係合することになっており、貫通ボルト７が挿通する器体当接部１４のボルト孔１８を位置決めしている。
【００１６】
一方、絶縁カバー支持具１３が具備する支持部１６は器体当接部１４の上端側からスタッド形端子３のネジ部と同一の方向に沿って延出されたものであり、この支持部１６の上端に対しては連結ボルト１９を用いることによって絶縁カバー１２が連結されている。なお、メインバー１１などとの接触を回避する必要があるため、この支持部１６は端子ブロック８の外方へと向かって張り出すように屈曲された形状を有している。さらに、絶縁カバー支持具１３は、その係合部１５が器体２の溝部９である被係合部と係合するのに伴って器体２の底面と面一になる取付部１７をも具備しており、この取付部１７は取着ボルト（図示省略）を用いたうえで配電盤や分電盤などの取付パネルに対して取着されることになる。
【００１７】
すなわち、本実施形態に係る絶縁カバー支持具１３は単一枚の板金を用いて作製されたものであり、器体当接部１４と、係合部１５と、支持部１６と、取付部１７との各々は単一枚の板金における所定位置それぞれを屈曲することによって形成されている。ところで、本実施形態にあっては、スタッド形端子装置１の複数個が並列配置して連結されてなる端子ブロック８に対して絶縁カバー１２を取着し、この端子ブロック８における対向位置のそれぞれに対して絶縁カバー支持具１３を取着するとしているが、これらの絶縁カバー１２及び絶縁カバー支持具１３が単一個のスタッド形端子装置１に対して取着されるものであってもよいことは勿論である。
【００１８】
【発明の効果】
請求項１に記載したスタッド形端子装置であれば、その器体同士を挿通して連結する貫通ボルトでもって端子ブロックを構成すると同時に、絶縁カバー支持具の器体当接部を貫通ボルトの挿通方向と直交する器体の側面に当接させておいたうえで貫通ボルトによって器体と絶縁カバー支持具とを一体的に連結することが可能となる。従って、絶縁カバー支持具を介して絶縁カバーまでもが一体的にブロック化されたスタッド形端子装置を容易に構成し得ることとなり、組み立て作業性が良好で便利なスタッド形端子装置を提供できるという効果を確保することができる。
【００１９】
また、請求項２に記載したスタッド形端子装置にあっては、絶縁カバー支持具の係合部が器体の被係合部と係合するのに伴って取付部が器体の底面と面一になる。そして、スタッド形端子装置を平面上に取り付け固定した場合、絶縁カバー支持具の取付部と器体の底面とがともに取付平面と密着するため、安定性の向上を図ることができるという効果が請求項１による効果に付加して得られる。さらに、請求項３に記載のスタッド形端子装置では、絶縁カバー支持具が板金で作製されており、かつ、器体当接部と、係合部と、支持部と、取付部との各々が単一枚の板金から屈曲形成されている。そのため、絶縁カバー支持具の加工が容易となり、安価な絶縁カバー支持具を提供できるという効果が得られる。
【図面の簡単な説明】
【図１】本発明の一実施形態である絶縁カバー支持具を備えてなる端子ブロックの全体構成を示す外観斜視図である。
【図２】本発明の一実施形態である絶縁カバー支持具の構成を示す外観斜視図である。
【図３】本発明の一実施形態及び従来形態であるスタッド形端子装置の構成を示す外観斜視図である。
【図４】従来形態である端子ブロックの全体構成を示す外観斜視図である。
【符号の説明】
１    スタッド形端子装置
２    器体
３    スタッド形端子
４    嵌合突部
５    嵌合凹部
６    貫通孔
７    貫通ボルト
８    端子ブロック
９    溝部（被係合部）
１１    メインバー
１２    絶縁カバー
１３    絶縁カバー支持具
１４    器体当接部
１５    係合部
１６    支持部
１７    取付部
１８    ボルト孔
１９    連結ボルト
【図１】
0003646669.tif 000002
【図２】
0003646669.tif 000003
【図３】
0003646669.tif 000004
【図４】
0003646669.tif 000005